(57)【要約】      （修正有）【課題】昼間でも部屋全体を暗くしないで、本人のみが小空間を得て安眠するための頭部覆い体用枠の提供。【解決手段】１）仰臥した頭部上に、覆い体受け用フレーム３を設ける。２）覆い体受け用フレームは、頭部覆い体をそのまま覆い体受け用フレームにかぶせるか、頭部覆い体１８を少し大きな洗濯挟み等でフレームに止めれる構成、または補強パイプ４に突起物を設け紐等で頭部覆い体を留められるようにした構成等、ＴＰＯに応じて頭部覆い体を着脱自在に交換出来るフレーム構成。３）台座１部のフレームは寝具や敷物に仰臥した場合、体の下に敷き込める構成とする。【選択図】図１
2007283079.tif 000002
【特許請求の範囲】
【請求項１】
仰臥した頭部の上面に、頭部覆い体を受けるフレームを設け、それを支柱で土台と接続し、土台は寝具の下に敷き込める構成とした敷き込み式頭部覆い体用枠。
【請求項２】
頭部覆い体を受けるフレームを、回動可能な構成とした請求項１の敷き込み式頭部覆い体用枠。
【発明の詳細な説明】
【技術分野】
【０００１】  本発明は昼間でも部屋全体を暗くしないで、本人のみが小空間を得て安眠するための頭部覆い体用枠に関する。
【背景技術】
【０００２】  現在、遮光安眠用としてアイマスクが一般的であるが、就寝時、口を開けて寝ている場合も多々有り、あまり良い光景ではなかった。又、３交代勤務等で昼間寝るのに、明るくて熟睡できない事がある。又、冬の夜等、冷たい部屋の空気に顔面をさらして寝ると、顔や頭が冷たくて帽子や半纏等を被って、頭部を外気に触れないようにして寝たりしていた。
【背景の技術】
【０００３】  従来の安眠装置としては、下記「特許文献１」の様に携帯用の物があったが、ＴＰＯに応じて覆い体を自在に交換出来る物ではない。従って本発明と異なる。
【特許文献１】実用新案登録第３１０５４９０号
【０００４】また、下記「特許文献２」の様に遮光板を頭上に移動自在に設けた物もあるが、略真上からの光を遮るだけで前後左右からの光は遮られない。しかも直接人射を阻止してなる遮光装置なので輻射光を阻止するものでない。従って本発明と異なる。
【特許文献２】実開平６−７０１０６
【発明の開示】
【発明が解決しようとする課題】
【０００５】  １）大部屋で寝ている時の顔の様子が他人に分かる。
２）３交代勤務等で昼間寝るのに、部屋全体を暗くせねばならないので、他の人がその部屋で静かな作業（勉強やアイロン掛け）が出来ない。
３）冬の夜等、冷たい部屋の空気に顔面を晒して寝るので顔面が乾燥する。
４）夏等は寝ていても頭部に蚊や蝿が留まって熟睡できない場合がある。
５）就寝時エアコンの風が、直接顔に当たって顔面が乾燥する場合がある。
６）砂浜や芝生の上で太陽を浴びて寝ころびたいのに、眩しくて出来ない。
【課題を解決する為の手段】
【０００６】  ▲１▼仰臥した頭部上に、覆い体受け用フレームを設ける。
▲２▼覆い体受け用フレームは、頭部覆い体をかぶせるのみ、又は頭部覆い体を少し大きな洗濯挟みでフレームに止めれる構成、又は覆い体受け用フレームに突起物を設け、紐等で頭部覆い体を留められるようにした構成等、ＴＰＯに応じて頭部覆い体を着脱自在に交換出来るフレーム構成。
▲３▼台座部のフレームは寝具や敷物に仰臥した場合、寝具の下に敷き込める構成。
以上の条件を満たした敷き込み式頭部覆い体用枠に頭部覆い体（毛布、布、バスタオル、蚊帳状布、メッシュ布、半纏等、そのものの大部分を通気性を有する物で構成されているもの）をかぶせて用いる。又、頭部覆い体は体を横たえる敷き布と繋がっていて覆い体受け用フレームを屋外で使用するときに用いる事等もできる。
【発明の効果】
【０００７】  顔面と頭部覆い体との間に小空間を生じさせる構成なので
１．大部屋で寝ている時の顔の様子が他人に分からない様頭部覆い体を取り付けられる。
２．３交代勤務等で昼間寝るのに、明るい部屋でも、自分の頭部周辺のみ暗くして熟睡することができるので、他の人がその部屋で静かな作業が出来る様頭部覆い体を取り付けられる。
３．冬の夜等、顔面と頭部覆い体との間の小空間に、自分の吐く息で温空間を設けることが出来るので冷たい部屋の空気に顔面を晒らすこと無く、しかも、保湿された空間の中で寝ることが出来るので顔面の乾燥を防止することが出来る様頭部覆い体を取り付けられる。二次的効果として呼吸により湿度の高い空気中に顔を晒すので顔面の美肌効果を得る。
４．夏等は覆い体を蚊帳状布にして用いると、頭部に蚊や蝿が留まるのを防止出来る。嬰児などの場合は、そのまま蚊帳代わりに用いることができる様覆い体を取り付けられる。
５．エアコンの風が、直接顔に当たって顔面が乾燥するのを防止する様頭部覆い体を取り付けられる。
６．屋外で芝生や砂浜で寝転がるなどして休息するときなど頭部を日陰にして、顔面を日焼けさせることなく休息できる様頭部覆い体を取り付けられる。頭部覆い体は自分の上着やシャツを用いてもよい。
【発明を実施するための最良の形態】
【０００８】  Ｕの字形に曲げたパイプの台座（１）の両端を上方向に折り曲げて支柱（２）を構成し、支柱（２）の端部を台座方向に折り曲げて覆い体受け用フレーム（３）を構成したもので、支柱（２）間や覆い体受け用フレーム（３）間の各間には補強パイプ（４）を設けた敷き込み式頭部覆い体用枠。（請求項１  図２参照）これに頭部覆い体（１８）をかぶせて用いる。起きあがるときは頭部覆い体（１８）をめくってから起きあがる。「図１」は図２の使用概略図で、敷き込み式頭部覆い体用枠の台座（１）の上に敷き布団（２１）を敷き、そこに枕（２０）を置いて、その上に頭（１９）を置いて仰臥し、頭部覆い体（１８）を被って寝ている概略図である。頭部覆い体（１８）の一部は台座（１）の下に敷き込んでも良い。
【実施例】
【０００９】  実施例１  （請求項１図３参照）
各パイプの角部にはＬ形接続具（５）や三方接続具（６）を用い、その間を補強パイプ（４）、台座用パイプ（７）、支柱用パイプ（８）、覆い体受け用パイプ（９）、で接続した敷き込み式頭部覆い体用枠。
しかも、支柱用パイプ（８）は着脱自在とし、台座部と覆い体受け用フレーム部とに分離可能にすると格納や輸送、販売等がコンパクトに行える。【００１０】  実施例２  （請求項２  図４参照）
Ｕの字形に曲げたパイプの平面部付き台座（１−３）の両端を上方向に折り曲げた小支柱下（２−１）を構成し、その端部に２穴接続パイプ（１０）を固定し、覆い体受け用フレーム（３）の端部から下方へ折り曲げた小支柱上（２−２）の任意の位置にスライド固定用ピン（１１）用の穴（１２）を設けたパイプを２穴接続パイプ（１０）に差し込み、小支柱下（２−１）間と小支柱上（２−２）間の各の間には補強パイプ（４）を設け、上下自在とした屋内、屋外兼用を可能とした敷き込み式頭部覆い体用枠。寝具が無くても体の下に直接敷き込める。【００１１】  実施例３  （請求項２  図５参照）
各パイプの角部にはＬ形接続具（５）や三方接続具（６）を用い、その間を補強パイプ（４）、台座用パイプ（７）、覆い体受け用パイプ（９）、平面部付きパイプ（４−２）と２穴接続パイプ（１０）で上下自在に接続された支柱用パイプ下（８−１）と支柱用パイプ上（８−２）で構成し、支柱用パイプ上（８−２）には任意の位置にスライド固定用ピン（１１）用の穴（１２）を設け、２穴接続パイプ（１０）と支柱用パイプ下（８−１）は固定している。敷き込み式頭部覆い体用枠。
しかも、支柱用パイプ下（８−１）と支柱用パイプ上（８−２）は着脱自在として台座部と覆い体受け用フレーム部とに分離すると格納や輸送、販売等がコンパクトに行える。【００１２】  実施例４
台座（１）に支柱（２）を立て、支柱（２）の端部からＵ字形覆い体受け用フレーム（３−１）を台座（１）側に突き出し、しかもＵ字形覆い体受け用フレーム（３−１）は支柱（２）と接続されている軸（４−１）を中心に回動して、Ｕ字形覆い体受け用フレーム（３−１）が上部に回動する構成とした敷き込み式頭部覆い体用枠。（請求項２  図６参照）上部に回動する構成は支柱（２）に固定されている回動軸（４−１）用の軸受け（１３）の円周方向に長穴（１４）を設け、回動軸（４−１）の回動と共に長穴（１４）内を摺動するピン（１５）を回動軸（４−１）に設けた敷き込み式頭部覆い体用枠（回動部（１６）の断面図（図７参照）。【００１３】  実施例５  （請求項２  図９参照）
台座用パイプ（７）、支柱用パイプ（８）、覆い体受け用パイプ（９）の角部にはＬ形接続具（５）や三方接続具（６）を用い、その間を補強パイプ（４）、台座用パイプ（７）、支柱用パイプ（８）、覆い体受け用パイプ（９）、で接続し、しかも覆い体受け用パイプ（９）は支柱用パイプ（８）と接続されている回動軸（４−１）を中心に回動して、覆い体受け用パイプ部が上部に回動する接続具兼軸受け（１３−１）を有する構成とし、接続具兼軸受け（１３  １）には回動方向に長穴（１４）を設け、回動軸（４  １）の回動と共に長穴（１４）内を摺動するピン（１５）を回動軸（４−１）に設けた敷き込み式頭部覆い体用枠。
起きあがるときは覆い体受け用パイプ部を上部に回動してから起きあがる。しかも、支柱用パイプ（８）は着脱自在とし、台座部と覆い体受け用パイプ部とに分離すると格納や輸送、販売等がコンパクトに行える。【００１４】  実施例６
図８はＵ字形覆い体受け用フレーム（３−１）に突起物（３−２）を設け紐等で頭部覆い体（１８）を結びつけ風等で、づり落ちないようにしたものである。又、台座（１）、支柱（２）及びＵ字形覆い体受け用フレーム（３−１）の内面側に数個の穴（１−１）又は長穴を設けて、体温で暖まった寝具下の隙間の空気を、穴を通じて敷き込み式頭部覆い体用枠内に対流移動させて流入するようにしたものである。【００１５】  実施例７  （請求項２  図１０参照）
矩形台座（１−２）に支柱用ボス（１７）を設けて支柱用パイプ（８）を立て、その端部に矩形覆い体受け用フレーム（３−３）に支柱用ボス（１７）を設け左右方向に回動自在の構成とした敷き込み式頭部覆い体用枠。仰臥したときに支柱用パイプ（８）を頭の右又は左の任意の位置にもってくることができる。起きあがるときは矩形覆い体受け用フレーム（３−３）を右又は左に回動してから起きあがる。【００１６】  実施例８  （請求項２  図１１参照）
各角部にはＬ形接続具（５）や三方接続具（６）を用い、その間を補強パイプ（４）、台座用パイプ（７）、支柱用パイプ（８）、覆い体受け用パイプ（９）、で接続し構成とした左右方向に回動自在の構成とした敷き込み式頭部覆い体用枠。起きあがるときは覆い体受け用フレーム（３）を右又は左に回動してから起きあがる。
しかも、支柱用パイプ（８）は着脱自在とし、台座部と覆い体受け用フレーム部とに分離すると格納や輸送、販売等がコンパクトに行える。【００１７】  実施例９  （図１２、１３，１４参照）
穴付きアーム（２５）と穴付き支柱（２６）と折り畳み用アーム上（２７）と折り畳み用アーム下（２８）と折り畳み支点ピン（２２）と支柱接続回動支点ピン（２３）とアーム接続回動支点ピン（２４）とで構成した折り畳み式敷き込み式頭部覆い体用枠。【００１８】  実施例１０
パネル式テレビ（３０）等の平面部を受けられるように受け板（２９）を覆い体受け用フレームに設けた敷き込み式頭部覆い体用枠（図１５参照）、その覆い体受け用フレームを曲げてもよい（図１６参照）
【図面の簡単な説明】
【００１９】
【図１】本発明の使用図略図
【図２】本発明の「請求項１」の斜視図
【図３】組み立て式の本発明の斜視図
【図４】本発明の「請求項１、２」を取り入れた伸縮式の斜視図
【図５】本発明の「請求項１、２」を取り入れた伸縮式で組み立て式の斜視図
【図６】本発明の「請求項１、２」を取り入れた上部回動式の斜視図
【図７】回動部（１６）の断面詳細図
【図８】頭部覆い体に突起物を設け紐等で頭部覆い体を留められるようにしたもの。
【図９】本発明の「請求項１、２」を取り入れた上部回動式で組み立て式の斜視図
【図１０】本発明の「請求項１、２」を取り入れた左右回動式の斜視図
【図１１】本発明の「請求項１、２」を取り入れた左右回動式で組み立て式の斜視図
【図１２】本発明の「請求項１」を折り畳み式にした場合の斜視図
【図１３】図１２を折り畳んだ時の平面図
【図１４】図１２を折り畳んだ時の左側面図
【図１５】薄型テレビ等を置ける突起を覆い体受け用フレームに設けた敷き込み式頭部覆い体用枠の斜視図
【図１６】「図１５」の覆い体受け用フレームを曲げた斜視図
【符号の説明】
【００２０】１…台座            １−１…穴    １−２…矩形台座    １−３…平面部付き台座
２…支柱            ２−１…小支柱下    ２−２…小支柱上
３…覆い体受け用フレーム    ３−１…Ｕ字形覆い体受け用フレーム    ３−２…突起物
３−３…矩形覆い体受け用フレーム
４…補強パイプ    ４−１…回動軸    ４−２…平面部付きパイプ
５…Ｌ形接続具
６…三方接続具
７…台座用パイプ
８…支柱用パイプ    ８−１…支柱用パイプ下    ８−２…支柱用パイプ上
９…覆い体受け用パイプ    ９−１…受け板
１０…２穴接続パイプ
１１…スライド固定用ピン
１２…穴
１３…軸受け    １３−１…接続具兼軸受け
１４…長穴                                  ２３…支柱接続回動支点ピン
１５…ピン                                  ２４…アーム接続回動支点ピン
１６…回動部                                ２５…穴付きアーム
１７…支柱用ボス                            ２６…穴付き支柱
１８…頭部覆い体                            ２７…折り畳み用アーム上
１９…頭                                    ２８…折り畳み用アーム下
２０…枕                                    ２９…受け板
２１…敷き布団                              ３０…パネル式テレビ
２２…折り畳み支点ピン
【図１】
2007283079.tif 000003
【図２】
2007283079.tif 000004
【図３】
2007283079.tif 000005
【図４】
2007283079.tif 000006
【図５】
2007283079.tif 000007
【図６】
2007283079.tif 000008
【図７】
2007283079.tif 000009
【図８】
2007283079.tif 000010
【図９】
2007283079.tif 000011
【図１０】
2007283079.tif 000012
【図１１】
2007283079.tif 000013
【図１２】
2007283079.tif 000014
【図１３】
2007283079.tif 000015
【図１４】
2007283079.tif 000016
【図１５】
2007283079.tif 000017
【図１６】
2007283079.tif 000018